(57)【要約】【課題】ウェアラブル機器をクレードルに装着した際にもウェアラブル機器の機能を使用できる情報処理システムを提供する。【解決手段】情報処理システム７は、ウェアラブル機器１と、ウェアラブル機器１を充電するクレードル９とからなる情報処理システムであって、ウェアラブル機器１は、ユーザーの操作を受け付ける第１の操作部５と、クレードル９と電気的に接続する第１の端子部８と、第１の操作部５からの第１の操作信号に基づき、所定の機能を実行する処理部２０と、を備え、クレードル９は、ウェアラブル機器１の第１の端子部８と電気的に接続する第２の端子部９４と、ユーザーの操作を受け付ける第２の操作部９３１と、を備え、ウェアラブル機器１の処理部２０は、第１の端子部８と第２の端子部９４とが電気的に接続したことを検知すると、第２の操作部９３１の操作に基づき、所定の機能を実行する。【選択図】図１
2019111031.tif 000002
【特許請求の範囲】
【請求項１】
ウェアラブル機器と、前記ウェアラブル機器を充電するクレードルとからなる情報処理システムであって、
前記ウェアラブル機器は、
ユーザーの操作を受け付ける第１の操作部と、
前記クレードルと電気的に接続する第１の端子部と、
前記第１の操作部からの第１の操作信号に基づき、所定の機能を実行する処理部と、を備え、
前記クレードルは、
前記ウェアラブル機器の前記第１の端子部と電気的に接続する第２の端子部と、
前記ユーザーの操作を受け付ける第２の操作部と、を備え、
前記ウェアラブル機器の前記処理部は、前記第１の端子部と前記第２の端子部とが電気的に接続したことを検知すると、前記第２の操作部の操作に基づき、前記所定の機能を実行することを特徴とする情報処理システム。
【請求項２】
請求項１に記載の情報処理システムであって、
前記第２の操作部は、前記ユーザーの操作を受け付けると、前記第１の操作部と物理的に接触することを特徴とする情報処理システム。
【請求項３】
請求項１に記載の情報処理システムであって、
前記処理部と前記第２の操作部とは電気的に接続し、
前記第２の操作部は前記ユーザーの操作を受け付けると第２の操作信号を出力し、
前記処理部は、前記第２の操作信号を検出すると前記所定の機能を実行することを特徴とする情報処理システム。
【請求項４】
請求項１から請求項３のいずれか一項に記載の情報処理システムであって、
前記ウェアラブル機器は、
時間情報を計時する計時部と、
音、光、振動、及び表示のうちの少なくとも１つを用いて前記ユーザーに報知する報知部と、を備え、
前記処理部は、前記計時部から取得した時間情報があらかじめ設定された条件を満たしたと判定すると、前記報知部に報知させることを特徴とする情報処理システム。
【請求項５】
請求項４に記載の情報処理システムであって、
前記時間情報は、時刻、経過時間、及び残り時間のうちの少なくとも１つを含むことを特徴とする情報処理システム。
【請求項６】
請求項１から請求項５のいずれか一項に記載の情報処理システムであって、
前記処理部は、前記第１の端子部の電圧変化を検出することで、前記第１の端子部と前記第２の端子部とが電気的に接続したことを検知することを特徴とする情報処理システム。
【請求項７】
請求項３から請求項６のいずれか一項に記載の情報処理システムであって、
前記ウェアラブル機器は、
前記所定の機能と、前記第１の操作部からの前記第１の操作信号、及び前記第２の操作部からの前記第２の操作信号と、の対応関係を記憶する記憶部を備え、
前記処理部は、前記対応関係に基づき、前記所定の機能を実行することを特徴とする情報処理システム。
【請求項８】
請求項１から請求項７のいずれか一項に記載の情報処理システムであって、
前記クレードルは、周囲の動態を検出するセンサー部を備えることを特徴とする情報処理システム。
【請求項９】
請求項８に記載の情報処理システムであって、
前記処理部は、前記第２の操作部の操作に基づき、前記センサー部の駆動と停止とを切り替えることを特徴とする情報処理システム。
【発明の詳細な説明】
【技術分野】
【０００１】
本発明は、情報処理システムに関する。
【背景技術】
【０００２】
従来、ユーザーの脈拍を検出して脈拍数を計測する脈拍計測機能、ユーザーの動きを検出する加速度センサー及び時計機能などを有するウェアラブル機器と、ウェアラブル機器を収容して二次電池を充電する充電機能、及びウェアラブル機器に記憶された情報を他の電子機器と交換する情報交換機能などを有するクレードルとを備えた情報処理システムが知られていた。例えば、特許文献１には、クレードルに設けられた端子に電気的に接続される接続部を有し、クレードルに着脱可能な携帯型電子機器（ウェアラブル機器）が開示されている。携帯型電子機器の接続部は、電力を取得する充電用接続部と情報を交換する情報交換用接続部とを備え、充電や情報交換を可能としていた。
【先行技術文献】
【特許文献】
【０００３】
【特許文献１】特開２０１５−７３８０８号公報
【発明の概要】
【発明が解決しようとする課題】
【０００４】
ウェアラブル機器は、クレードルから給電と情報交換とをするための第１の端子部（接続部）の他に、ウェアラブル機器の備える各種機能を操作するための第１の操作部を備えている。第１の操作部と第１の端子部とは、ウェアラブル機器の装置本体の互いに対向する側面に設けられている。
しかしながら、特許文献１に記載のクレードルは、ウェアラブル機器の第１の端子部と接続するための第２の端子部しか備えていなかった。また、クレードルは、ウェアラブル機器の装置本体の側面を両側から保持するための凹部を備えていた。凹部にウェアラブル機器を保持させた場合、ウェアラブル機器の第１の操作部がクレードルに覆われてしまい、ウェアラブル機器を充電した状態では、第１の操作部を操作することができないという課題があった。すなわち、ウェアラブル機器がクレードルに接続された状態では、ウェアラブル機器の機能を実行することができなかった。
【課題を解決するための手段】
【０００５】
本発明は、上述の課題の少なくとも一部を解決するためになされたものであり、以下の形態または適用例として実現することが可能である。
【０００６】
［適用例１］本適用例に係る情報処理システムにおいて、ウェアラブル機器と、前記ウェアラブル機器を充電するクレードルとからなる情報処理システムであって、前記ウェアラブル機器は、ユーザーの操作を受け付ける第１の操作部と、前記クレードルと電気的に接続する第１の端子部と、前記第１の操作部からの第１の操作信号に基づき、所定の機能を実行する処理部と、を備え、前記クレードルは、前記ウェアラブル機器の前記第１の端子部と電気的に接続する第２の端子部と、前記ユーザーの操作を受け付ける第２の操作部と、を備え、前記ウェアラブル機器の前記処理部は、前記第１の端子部と前記第２の端子部とが電気的に接続したことを検知すると、前記第２の操作部の操作に基づき、前記所定の機能を実行することを特徴とする。
【０００７】
本適用例によれば、情報処理システムは、ウェアラブル機器と、ウェアラブル機器に充電などを行なうクレードルとから構成されている。ウェアラブル機器は、ユーザーの操作を受け付ける第１の操作部と、クレードルと電気的に接続するための第１の端子部と、第１の操作部からの第１の操作信号に基づき、対応する所定の機能を実行する処理部とを備えている。クレードルは、第１の端子部と電気的接続する第２の端子部と、ユーザーの操作を受け付ける第２の操作部とを備える。ユーザーがウェアラブル機器をクレードルに保持させることで処理部が、第１の端子部と第２の端子部とが電気的に接続されたことを検知し、ユーザーが第２の操作部の操作を行なうことで、ウェアラブル機器の処理部が所定の機能を実行する。ユーザーが第２の操作部を操作した時、情報処理システムは第１の操作部を操作した時と同様の処理を行なう。これによって、ウェアラブル機器がクレードルに接続された状態でも、ウェアラブル機器の機能を実行することができる。
【０００８】
［適用例２］上記適用例に記載の情報処理システムにおいて、前記第２の操作部は、前記ユーザーの操作を受け付けると、前記第１の操作部と物理的に接触することが好ましい。
【０００９】
本適用例によれば、第２の操作部は、ユーザーの操作を受け付けると、第１の操作部と物理的に接触するため、ユーザーが第２の操作部で行なう操作は直接、第１の操作部に伝わる。これによって、ウェアラブル機器がクレードルに接続された状態でも第１の操作部の操作をクレードルの第２の操作部を操作することで行なうことができる。
【００１０】
［適用例３］上記適用例に記載の情報処理システムにおいて、前記処理部と前記第２の操作部とは電気的に接続し、前記第２の操作部は前記ユーザーの操作を受け付けると第２の操作信号を出力し、前記処理部は、前記第２の操作信号を検出すると前記所定の機能を実行することが好ましい。
【００１１】
本適用例によれば、処理部と第２の操作部は電気的に接続している。第２の操作部はユーザーからの操作を受け付けると第２の操作信号を出力する機能を備えている。ユーザーが第２の操作部を操作することで第２の操作信号を出力し、処理部は所定の機能を実行する。処理部は、ユーザーが第２の操作部を操作した時に出力される第２の操作信号と第１の操作信号とを同様の処理にする。これによって、ウェアラブル機器がクレードルに保持された状態でも、クレードルの第２の操作部を用いてウェアラブル機器の第１の操作部を操作した時と同じ機能を実行することができる。
【００１２】
［適用例４］上記適用例に記載の情報処理システムにおいて、前記ウェアラブル機器は、時間情報を計時する計時部と、音、光、振動、及び表示のうちの少なくとも１つを用いて前記ユーザーに報知する報知部と、を備え、前記処理部は、前記計時部から取得した時間情報があらかじめ設定された条件を満たしたと判定すると、前記報知部に報知させることが好ましい。
【００１３】
本適用例によれば、ウェアラブル機器は、時間情報を計時する計時部と、音、光、振動、及び表示のうち少なくとも１つを用いてユーザーに報知する報知部を備えている。処理部は、ウェアラブル機器にあらかじめ設定された条件と計時部から取得した時間情報とが一致した時、報知部から報知を行なう。これにより、時間情報があらかじめ設定された条件を満たしたことをユーザーに認知させることができる。
【００１４】
［適用例５］上記適用例に記載の情報処理システムにおいて、前記時間情報は、時刻、経過時間、及び残り時間の少なくとも１つを含むことが好ましい。
【００１５】
本適用例によれば、時間情報は、時刻、経過時間、及び残り時間の少なくとも１つを含んでいる。これによって、ユーザーは、時刻、経過時間、残り時間などの時間情報を、あらかじめ設定する条件として用いることができる。
【００１６】
［適用例６］上記適用例に記載の情報処理システムにおいて、前記処理部は、前記第１の端子部の電圧変化を検出することで、前記第１の端子部と前記第２の端子部とが電気的に接続したことを検知することが好ましい。
【００１７】
本適用例によれば、処理部は第１の端子部の電圧変化を検出する機能を備えている。これによって、処理部はウェアラブル機器とクレードルが接続されているか否かを判断することができる。
【００１８】
［適用例７］上記適用例に記載の情報処理システムにおいて、前記ウェアラブル機器は、前記所定の機能と、前記第１の操作部からの前記第１の操作信号、及び前記第２の操作部からの前記第２の操作信号と、の対応関係を記憶する記憶部を備え、前記処理部は、前記対応関係に基づき、前記所定の機能を実行することが好ましい。
【００１９】
本適用例によれば、ウェアラブル機器は、所定の機能と、第１の操作信号及び第２の操作信号との対応関係を記憶する記憶部を備えている。処理部は記憶部に記憶された対応関係に基づいて所定の機能を実行する。これによって、クレードルに備えられている第２の操作部の操作によって、ウェアラブル機器の有するさまざまな機能を実行することができる。
【００２０】
［適用例８］上記適用例に記載の情報処理システムにおいて、前記クレードルは、周囲の動態を検出するセンサー部を備えることが好ましい。
【００２１】
本適用例によれば、クレードルは周囲の動態を検出するセンサー部を備えている。例えば電波センサーを用いてユーザーの睡眠時の動態を検出し、睡眠状態を求めることができる。
【００２２】
［適用例９］上記適用例に記載の情報処理システムにおいて、前記処理部は、前記第２の操作部の操作に基づき、前記センサー部の駆動と停止とを切り替えることが好ましい。
【００２３】
本適用例によれば、処理部はセンサー部の機能の実行と停止を切り替える機能を備えている。これにより、ユーザーはセンサー部の駆動と停止との切り替えを容易に行なうことができる。
【図面の簡単な説明】
【００２４】
【図１】実施形態に係る情報処理システムの概略構成を示すブロック図。
【図２】ウェアラブル機器の表面側を示す正面図。
【図３】ウェアラブル機器の裏面側を示す斜視図。
【図４】ウェアラブル機器が装着されるクレードルを正面側から見た斜視図。
【図５】ウェアラブル機器が装着されたクレードルの表面側を示す正面図。
【図６】ウェアラブル機器が装着されたクレードルの側面側を示す側面図。
【図７】変形例１に係る情報処理システムの概略構成を示す側断面図。
【図８】変形例２に係る情報処理システムの概略構成を示す正面図。
【図９】睡眠判定処理のフローチャート。
【発明を実施するための形態】
【００２５】
以下、本発明の実施形態について、図面を参照して説明する。なお、以下の各図においては、各層や各部材を認識可能な程度の大きさにするため、各層や各部材の尺度を実際とは異ならせている。
【００２６】
［情報処理システムの全体構成］
図１は、実施形態に係る情報処理システム７の概略構成を示すブロック図である。
図１に示すように、本実施形態の情報処理システム７は、ウェアラブル機器１と、ウェアラブル機器１を充電するクレードル９とによって構成されている。ウェアラブル機器１は、クレードル９と電気的に接続する第１の端子部８、ユーザーの操作を受け付ける第１の操作部５を備えている。また、クレードル９は、ウェアラブル機器１の第１の端子部８と電気的に接続する第２の端子部９４、ユーザーの操作を受け付ける第２の操作部９３１を備えている。なお、詳しくは後述するが、ウェアラブル機器１をクレードル９に保持させると、ウェアラブル機器１に備えられている第１の端子部８とクレードル９に備えられている第２の端子部９４とが電気的に接続する。これにより、ウェアラブル機器１への電力供給と、相互のデータ通信を実行することが可能となる。また、ウェアラブル機器１の処理部２０は、第２の操作部９３１とは電気的に接続し、第２の操作部９３１は、ユーザーの操作を受け付けると第２の操作信号を出力する。
【００２７】
［ウェアラブル機器の全体構成］
図２は、ウェアラブル機器１の表面側を示す正面図である。図３は、ウェアラブル機器１の裏面側を示す斜視図である。なお、ウェアラブル機器の表示部４側を「表面側」、表示部と反対側を「裏面側」とする。
ウェアラブル機器１は、図２、図３に示すように、装置本体２と、装置本体２に接続されるバンド３とを備えている。そして、このようなウェアラブル機器１は、裏面側を生体に密着させた状態でバンド３を締めることで生体（ユーザー）に装着され、血管中を流れる血流の状態を監視して脈拍を測定することが可能となる。
【００２８】
ウェアラブル機器１の装置本体２の表面側には、図２および図３に示すように、脈拍数等の生体情報や現在時刻などの時間情報等の各種情報を示す表示部４が設けられている。表示部４としては、ＬＥＤ（Light Emitting Diode）、ＯＬＥＤ（Organic Light Emitting Diode：有機EL）などの表示装置が用いられる。表示部４はガラスやプラスチックなどの透明部材６１によって覆われている。
【００２９】
装置本体２の一方の側面には、図２および図３に示すように、第１の操作部５が設けられている。また、装置本体２の他方の側面には、クレードル９の第２の端子部９４（図４参照）と接続する第１の端子部８が設けられている。ウェアラブル機器１の第１の端子部８およびクレードル９の第２の端子部９４は、ＵＳＢ（Universal Serial Bus）２．０の規格に対応するものであり、４つの接続端子のうちの２つは、電力供給を行なうＶBUS用とＧＮＤ用の端子であり、他の２つはデータ通信用の端子である。
すなわち、詳しくは後述するが、クレードル９の第２の端子部９４は、ＶBUS端子９４１、ＧＮＤ端子９４２、Ｄ＋端子９４３、Ｄ−端子９４４の４つの接続端子を備えている（図４参照）。ＶBUS端子９４１、ＧＮＤ端子９４２は、電源用であり、Ｄ＋端子９４３、Ｄ−端子９４４は、各種情報を交換する情報転送用に用いられる。このため、ウェアラブル機器１の第１の端子部８は、ＶBUS端子９４１、ＧＮＤ端子９４２に接続され電力供給に用いられるＶBUS端子８１、ＧＮＤ端子８２と、Ｄ＋端子９４３、Ｄ−端子９４４に接続されデータ通信に用いられるＤ＋端子８３、Ｄ−端子８４とを備えている。
また、第１の端子部８の両端側にはクレードル９に装置本体２が接続される際の位置決めをするための位置決め孔６３が設けられている。
【００３０】
クレードル９は、ＵＳＢ端子１０１（図６参照）を介してパーソナルコンピューターに接続される。そして、パーソナルコンピューターに接続されたクレードル９にウェアラブル機器１を装着すると、このクレードル９に設けられたＶBUS端子９４１、ＧＮＤ端子９４２からは、電力が供給され、これにより、ウェアラブル機器１の充電が可能になっている。また、第１の端子部８とクレードル９の第２の端子部９４とが接続されることで、Ｄ＋端子９４３、Ｄ−端子９４４を介して、当該クレードル９と一体となって用いられる他の電子機器（例えば、パーソナルコンピューター、スマートフォン等）から各種情報（例えば、運動目標値、身体情報等）を取得することが可能となっている。
【００３１】
装置本体２の裏面側には、図３に示すように、透明な窓６２が形成され、この窓６２の裏側（装置本体２裏面側）に脈拍検出部１０が配置されている。
脈拍検出部１０は、例えばＬＥＤ等の発光素子と、フォトダイオード等の受光素子とを備えた光電センサーにより構成されている。このような脈拍検出部１０では、ウェアラブル機器１が手首に装着された状態で、発光素子から生体に向かって光を照射させ、生体の血管を経由して到来する光を受光素子により受光する際の光量変化を検出することで、脈波を検出する。つまり、生体に照射された光は、血管で部分的に吸収されるが、この血管での吸収率は拍動の影響で変化し、受光素子に到来する光量が変化する。そして、受光素子で検出した光量の時間変化、つまり脈波を分析することで、脈拍数を測定することが可能となる。
なお、本実施形態では、脈拍検出部１０として、光電センサーを用いる例を示すが、例えば、超音波により血管の収縮を検出して脈拍数を計測する超音波センサーを用いてもよく、電極から微弱電流を体内に流して脈拍を検出するセンサー等を用いてもよい。
【００３２】
装置本体２の内部には、図１に示すように、加速度センサー１１と、記憶部１２と、電池１３と、報知部１４と、計時部１８と、処理部２０とが設けられている。
加速度センサー１１は、ユーザーの動作に伴う加速度を検出する。検出された加速度は処理部２０に出力され、処理部２０において、検出された加速度から歩数などが算出される。なお、本実施形態では、歩数を算出するために加速度センサー１１が設けられる例を示すが、例えば、ユーザーの歩行動作に応じて振動する振り子を備え、振り子の振動回数に基づいて、歩数が計測される構成などとしてもよい。
【００３３】
記憶部１２は、ＲＯＭ（Read Only Memory）やＲＡＭ（Random Access Memory）や、フラッシュメモリー等により構成され、各種データが記憶される。特に、書き換え可能であり、電源を切ってもデータが消えない不揮発性メモリーであるフラッシュメモリーを用いることで、システムリセット動作が行われても、測定したデータが消去されないように構成されている。
各種データとしては、脈拍検出部１０により検出された脈拍数や、加速度センサー１１に基づいて処理部２０により算出される歩数等の計測データやウェアラブル機器１を用いるユーザーの年齢等のユーザーデータ、クレードル９から取得した各種情報、詳しくは後述するがクレードル９から取得した各種情報に基づき行なう処理の内容等が挙げられる。
また、記憶部１２には、後述する所定の機能と、ウェアラブル機器１に備えられている第１の操作部５からの第１の操作信号、及びクレードル９に備えられている第２の操作部９３１からの第２の操作信号と、の対応関係が記憶される。
【００３４】
電池１３は、充電可能な二次電池であり、クレードル９の第２の端子部９４から供給される電力により充電されるようになっている。
【００３５】
報知部１４は、音、光、振動、及び表示のうちの少なくとも１つを用いてユーザーに報知する。具体的には、報知部１４は、文字などを表示する表示部４、音を発するブザー１５、振動を起こす振動モーター１６、光を発するＬＥＤ１７等の部材により構成されている。部材は一つ以上あれば数に制限はない。
【００３６】
計時部１８は、例えば、リアルタイムクロック（RTC：Real Time Clock）などで実現され、ウェアラブル機器１の時計機能やタイマー機能などの計時機能を有している。処理部２０は、計時部１８の計時機能を使用して時間情報を算出する。時刻情報としては、時刻、経過時間、および残り時間の少なくとも１つを含んでいる。これにより、ユーザーは、時刻、経過時間、残り時間などの時間情報を、あらかじめ設定する条件として用いることができる。
【００３７】
処理部２０は、例えばＣＰＵ（Central Processing Unit）等により構成されており、記憶部１２に記憶されたプログラムを読み込んで実行することにより、図１に示すように、接続されている第１の操作部５、第１の端子部８、脈拍検出部１０、加速度センサー１１、記憶部１２、電池１３、報知部１４に命令する機能を有している。
また、処理部２０は、第１の操作部５からの第１の操作信号、又はクレードル９の第２の操作部９３１からの第２の操作信号を受信し、記憶部１２に記憶された対応関係に基づいて所定の機能を実行する。すなわち、ウェアラブル機器１の有するさまざまな機能は、クレードル９に備えられている第２の操作部９３１の操作によって出力される第２の操作信号と対応関係とによって実行可能になっている。これによって、情報処理システム７は、クレードル９に備えられている第２の操作部９３１を操作することによって、ウェアラブル機器１の有するさまざまな機能を実行することができる。
【００３８】
処理部２０は、第１の端子部８の電圧変化を検出する機能を備えている。第１の端子部８に加わる電圧は、第１の端子部８と第２の端子部９４とが接続した場合と、未接続の場合とで変化する。処理部２０は、この電圧変化によって第１の端子部８と第２の端子部９４とが電気的に接続したことを検知する。これによって、処理部２０はウェアラブル機器１とクレードル９が接続されているか否かを判断することができる。
また、処理部２０は、第１の端子部８と第２の端子部９４とが電気的に接続したことを検知し、第２の操作部９３１の操作に基づいて出力される第２の操作信号を検出すると、所定の機能を実行する。所定の機能としては、例えば、脈拍数、歩数、時間情報の算出、及び表示部４への表示などがある。これによって、ウェアラブル機器１がクレードル９に保持された状態でも、クレードル９の第２の操作部９３１を用いてウェアラブル機器１の第１の操作部５を操作した時と同じ機能を実行することができる。
また、処理部２０は、計時部１８から取得した時間情報があらかじめ設定された条件を満たしたと判断すると、報知部１４に報知する。これにより、時間情報があらかじめ設定された条件を満たしたことをユーザーに認知させることができる。
【００３９】
［クレードルの全体構成］
図４は、ウェアラブル機器１が装着されるクレードル９を正面側から見た斜視図である。なお、図４及び後述する図５から図８では、説明の便宜上、互いに直交する三軸として、Ｘ軸、Ｙ軸及びＺ軸を図示している。以下の説明では、クレードル９にウェアラブル機器１を装着させる側を正面側とし、背面から正面に向かう方向をＹ軸とする。また、クレードル９にウェアラブル機器１を装着させた時、バンド３が伸びる方向（幅方向）をＸ軸とし、Ｘ軸及びＹ軸の双方と交差する方向（上下方向）をＺ軸とする。
【００４０】
クレードル９は、当該クレードル９と一体となって用いられる他の電子機器（例えば、パーソナルコンピューター及びスマートフォン等）に接続されることで、当該ウェアラブル機器１の充電及びウェアラブル機器１から取得した所定の情報（例えば、運動強度及び目標達成度）を他の電子機器に転送する機能を有する。
【００４１】
クレードル９は、図４に示すように、下ケース９１と中ケース９２と上ケース９３とを備えている。下ケース９１は、設置面に設置される台座としての役割を備える。下ケース９１は、当該下ケース９１を幅方向（Ｘ方向）に貫通する孔部９１１を備える。
孔部９１１には、前記中ケース９２を介して可動軸部９６が挿通されている。これにより、中ケース９２は下ケース９１に対して図中の矢印Ａ１方向又はＡ２方向に回動可能に取り付けられている。
中ケース９２は、下ケース９１から上下方向（Ｚ方向）に沿って延長され、さらに上部から手前側（Ｙ方向）に延長された逆Ｌ字状に形成されている。なお、可動軸部９６には、不図示のバネ部材が接続されており、当該バネ部材は、中ケース９２をＡ１方向へ付勢する。これにより、中ケース９２は、矢印Ａ２方向に回動したとしても、自動的にＡ１方向に戻るようになっている。
上ケース９３は、中ケース９２の上面および背面を隠すカバーであり、その上部には、第２の操作部９３１が設けられている。第２の操作部９３１はボタン等の入力装置であり、ユーザーが直感的に操作を行えるものが好ましい。第２の操作部９３１はクレードル９内部で第２の端子部９４と電気的に繋がっており、第２の端子部９４を介して第２の操作信号をウェアラブル機器１に送ることができる。これによって、ウェアラブル機器１がクレードル９に接続された状態でも、第２の操作部９３１を操作することにより、ウェアラブル機器１の機能を実行することができる。
【００４２】
上記のような構成により、クレードル９は、凹部９０を形成する。この凹部９０の突出部の下面には、ベース部９１２が形成されている。このベース部９１２には、前述した第２の端子部９４が挿通される複数の孔部（図示せず）が形成されている。クレードル９の第２の端子部９４は、ＶBUS端子９４１、ＧＮＤ端子９４２、Ｄ＋端子９４３、及びＤ−端子９４４を備えている。これらの第２の端子部９４は、下ケース９１内に配置され、その先端がベース部９１２の孔部から突出するようになっている。また、ベース部９１２から突出する第２の端子部９４の両端には、位置決め突起９５が形成されている。これら位置決め突起９５は、前述したウェアラブル機器１の装置本体２に設けられた位置決め孔６３に嵌合する形状である。
【００４３】
また、中ケース９２には、ＵＳＢケーブル１００が接続されている。ＵＳＢケーブル１００の先端には、ＵＳＢ端子１０１が形成されており、他の電子機器（例えば、パーソナルコンピューター等）と接続できる。ＵＳＢ端子１０１は、４つの端子（ピン）を備え、各端子はＵＳＢケーブル１００を介して第２の端子部９４の４つの端子にそれぞれ電気的に接続されている。これにより、例えば、クレードル９のＵＳＢ端子１０１が他の電子機器と接続されることにより、ＵＳＢケーブル１００を介して他の電子機器から供給される電力を第２の端子部９４のＶBUS端子９４１、及びＧＮＤ端子９４２に供給できる。また、第２の端子部９４のＤ＋端子９４３、及びＤ−端子９４４を介して、当該クレードル９に装着されるウェアラブル機器１から所定の情報を取得もしくは、ウェアラブル機器１に他の電子機器からの情報を提供できるようになっている。
【００４４】
［クレードルへのウェアラブル機器の着脱方法］
図５は、ウェアラブル機器１がクレードル９に装着された状態を示す正面図である。図６は、ウェアラブル機器１がクレードル９に装着された状態を示す側面図である。なお、図５及び図６においては、説明の便宜上、ウェアラブル機器１を透視して示している。
ウェアラブル機器１は、図５及び図６に示すように、クレードル９に装着される。まず、ユーザーは、クレードル９の中ケース９２を矢印Ａ２方向に回動操作する。これにより、クレードル９の凹部９０の開口が大きくなり、ウェアラブル機器１をクレードル９に装着し易くなる。そして、ユーザーは、ウェアラブル機器１の装置本体２の側面に設けられた位置決め孔６３にクレードル９の位置決め突起９５を嵌合させる。これにより、クレードル９の第２の端子部９４のそれぞれが第１の端子部８のそれぞれと接続される。具体的には、クレードル９のＶBUS端子９４１、ＧＮＤ端子９４２、Ｄ＋端子９４３、及びＤ−端子９４４は、装置本体２の側面に設けられた第１の端子部８のＶBUS端子８１、ＧＮＤ端子８２、Ｄ＋端子８３、及びＤ−端子８４とそれぞれ接続される。
そしてユーザーは、これらの接続を確認すると、中ケース９２から手を離す。これにより、中ケース９２内に設けられた不図示のバネ部材の付勢力により、中ケース９２が図５及び図６に示す状態となる。
【００４５】
以上述べたように、本実施形態に係る情報処理システム７によれば、以下の効果を得ることができる。
本実施形態の情報処理システム７は、ウェアラブル機器１とクレードル９とを有している。クレードル９には、ウェアラブル機器１と電気的に接続する第２の操作部９３１が設けられている。処理部２０は、第２の操作部９３１から出力される第２の操作信号を検出すると、ウェアラブル機器１に備えられている第１の操作部５の第１の操作と同様の所定の機能を実行する。これによって、ウェアラブル機器１がクレードル９に接続された状態でも、第２の操作部９３１を操作することにより、ウェアラブル機器１の機能を実行することができる。
【００４６】
ウェアラブル機器１は、時刻、経過時間及び残り時間の少なくとも１つを含む時間情報を計時する時計部１８を備えている。また、ウェアラブル機器１は、音、光、振動、及び表示のうちの少なくとも１つを用いてユーザーに報知する報知部１４を備えている。処理部２０は、あらかじめ設定された時間情報と計時部１８から取得した時間情報とが一致した時、報知部１４から報知を行う。これにより、時間情報があらかじめ設定された条件を満たしたことをユーザーに認知させることができる。
【００４７】
ウェアラブル機器１は、クレードル９と電気的に接続する第１の端子部８を備えている。クレードル９は、ウェアラブル機器１と電気的に接続する第２の端子部９４を備えている。処理部２０は、第１の端子部８の電圧変化を検出する機能を備えているので、ウェアラブル機器１とクレードル９が接続されているか否かを判断することができる。
【００４８】
記憶部１２には、所定の機能と、第１の操作信号及び第２の操作信号との対応関係が記憶され、処理部２０は、第１の操作信号又は第２の操作信号を受信し、記憶部１２に記憶されている対応関係に基づいて所定の機能を実行する。これによって、クレードル９に備えられている第２の操作部９３１を操作することによって、ウェアラブル機器１の有するさまざまな機能を実行することができる。
【００４９】
なお、本発明は上述した実施形態に限定されず、上述した実施形態に種々の変更や改良などを加えることが可能である。変形例を以下に述べる。
【００５０】
［変形例１］
上記実施形態の情報処理システム７は、クレードル９に備えられた第２の操作部９３１の第２の操作をウェアラブル機器１の処理部２０に電気的に伝えることでウェアラブル機器１の第１の操作部５を操作した時と同じ機能を実行させたが、変形例１の情報処理システム９７は、第２の操作部９３２の操作を第１の操作部５へ物理的に伝える。
図７は、変形例１に係るウェアラブル機器１が装着されたクレードル９８の構成を示す側断面図である。なお、実施形態と同一の構成部位については、同一の番号を使用し、重複する説明は省略する。
情報処理システム９７のクレードル９８は、上ケース９９に第２の操作部９３２を備える。この第２の操作部９３２は上ケース９９を上下に貫く軸部１０２を有し、上下方向に移動可能なボタン状をなしている。第２の操作部９３２が押下（第２の操作）されると、軸部１０２の下端がクレードル９８に装着されたウェアラブル機器１の第１の操作部５に当接し、第１の操作部５を物理的に押下（第１の操作）する。これにより、ウェアラブル機器１がクレードル９８に保持された状態でもクレードル９８の第２の操作部９３２を操作（第２の操作）することで第１の操作部５を操作（第１の操作）することができる。第２の操作部９３２の押下が解除されると、第２の操作部９３２は、上ケース９９と第２の操作部９３２との間に設けられたバネ部９３３の付勢力によって押下前の位置まで戻る。なお、本変形例では、第２の操作部９３２はボタン状の機構を例示したが、物理的に第１の操作部５を操作できる機構であればいかなる機構、形状であっても構わない。
【００５１】
［変形例２］
図８は、変形例２に係る情報システムの概略構成を示す正面図である。図９は、電波センサーを用いた睡眠判定処理のフローチャートである。なお、実施形態と同一の構成部位については、同一の番号を使用し、重複する説明は省略する。
情報処理システム１０７のクレードル１０９には、電波センサー等の周囲の動態を検出するセンサー部９３５が設けられている。例えば、電波センサーはマイクロ波センサー等で構成されており、ドップラー効果を用いてユーザーの睡眠時の動態を検出することで、睡眠状態を求めることができる。ここではセンサー部９３５として電波センサーを用いた睡眠判定処理を例として説明する。なお、センサー部９３５の設置場所は、特に限定されない。
処理部２０と第２の操作部９３１（入力装置）とは電気的に接続されており、処理部２０は、第２の操作部９３１から出力される第２の操作信号に基づいて電波センサーの機能を駆動と停止とに切り替える。
【００５２】
Ｓ１１は、ユーザーが就寝するのかどうかを判断する就寝判定工程である。ユーザーが就寝時にウェアラブル機器１をクレードル９に装着している状態で第２の操作部９３１を押下することで、第２の操作信号が第２の端子部９４と第１の端子部８を介してウェアラブル機器１の処理部２０へ送られる。処理部２０は、第２の操作信号を検出した場合（Ｓ１１でＹＥＳ）、ユーザーが就寝したと判断し、睡眠判定を開始する。処理部２０は、第２の操作信号を検出しない場合（Ｓ１１でＮＯ）、ユーザーがまだ就寝しないと判断して、第２の操作信号が検出されるまで待機する。
【００５３】
Ｓ１２は、電波センサーの駆動を開始させるセンサー駆動開始工程である。処理部２０は、クレードル９の電波センサーへ実行を命令し駆動を開始させる。電波センサーは、処理部２０へ取得した情報を送り続ける。
【００５４】
Ｓ１３は、ユーザーが起床したのかを判断する起床判定工程である。ユーザーが起床時に第２の操作部９３１を押下することで、第２の操作信号が第２の端子部９４と第１の端子部８を介してウェアラブル機器１の処理部２０へ送られる。処理部２０は、第２の操作信号を検出した場合（Ｓ１３でＹＥＳ）、ユーザーが起床したと判断し、睡眠判定を停止する。処理部２０は、第２の操作信号を検出しない場合（Ｓ１３でＮＯ）、ユーザーがまだ起床していないと判断して、第２の操作信号が検出されるまで待機する。
【００５５】
Ｓ１４は、電波センサーの駆動を停止させるセンサー駆動停止工程である。処理部２０はクレードル９の電波センサーへ停止を命令し駆動を停止させる。
【００５６】
上記の睡眠判定処理によって処理部２０に送られた情報は、記憶部１２に記憶される。例えば、処理部２０は、睡眠状態の解析を行って表示部４でユーザーに通知したり、記憶部１２に記憶された情報を他の電子機器（例えば、パーソナルコンピューター等）に提供したりする。
また、上述の睡眠判定処理によれば、ユーザーは、センサー部９３５としての電波センサーの駆動と停止とを容易に切り替えることができる。
【００５７】
また、変形例２にアラーム機能等を加えてもよい。これにより、ユーザーが、起床判定の際に第２の操作部９３１を押下することを忘れることを防止する効果がある。
【符号の説明】
【００５８】
１…ウェアラブル機器、５…第１の操作部、７，９７，１０７…情報処理システム、８…第１の端子部、９，９８，１０９…クレードル、１２…記憶部、１４…報知部、１８…計時部、２０…処理部、９４…第２の端子部、９３１，９３２…第２の操作部、９３５…センサー部。
【図１】
2019111031.tif 000003
【図２】
2019111031.tif 000004
【図３】
2019111031.tif 000005
【図４】
2019111031.tif 000006
【図５】
2019111031.tif 000007
【図６】
2019111031.tif 000008
【図７】
2019111031.tif 000009
【図８】
2019111031.tif 000010
【図９】
2019111031.tif 000011